(57)【要約】【課題】スマート装置を利用した放射能物質撮影装置を提供する。【解決手段】本発明は、スマート装置と；スマート装置に装着されるマウントと；前記マウントにおける前記スマート装置のレンズに設けられる鏡筒、可視光線遮断フィルターとして前記鏡筒の対物側最端部に設けられる暗幕、および前記暗幕の背面に形成され、放射線に反応して可視光線を発生させる増感層から構成される放射能情報収集部と；前記スマート装置に内蔵され、撮影された画像情報を増幅、演算処理して放射能写真、画像または文字情報として出力させるアプリケーションと；を含んでなり、スマート装置へ被写体に含まれた放射能物質を放射能写真、画像または文字として出力させることを特徴とする、スマート装置を利用した放射能物質撮影装置に関するものである。本発明によれば、一般人が広く所持しているスマート装置で放射能物質をまるでエックス線写真のように撮影して放射能情報を容易に認知することができるようにし、その情報量を解析して出力させ、共有して広く放射能情報クラウドを形成させることができる、スマート装置を利用した放射能物質撮影装置が提供されるという利点がある。【選択図】図１
2016532850.tif 000002
【特許請求の範囲】
【請求項１】
鏡筒、可視光線遮断フィルターとして前記鏡筒の対物側最端部に設けられる暗幕、及び前記暗幕の背面に形成され、放射線に反応して可視光線を発生させる増感層から構成される放射能情報収集部と；
スマート装置と；
前記鏡筒の対眼側端部に設けられ、前記スマート装置のカメラレンズに前記鏡筒の光軸を一致させながら前記放射能情報収集部を結合させるマウントと；
前記スマート装置に組み込まれ、放射能情報収集部で撮影された画像情報を演算処理して放射能写真、画像または文字情報として出力させるアプリケーションと；を含んでなり、
前記スマート装置へ被写体に含まれた放射能物質を放射能写真、画像または文字として出力させることを特徴とする、スマート装置を利用した放射能物質撮影装置。
【請求項２】
前記放射能情報収集部は、
前記増感層の背面に、前記増感層の光反応を増幅させる光増幅管が設けられ、反応可視光線を増幅させることを特徴とする、請求項１に記載のスマート装置を利用した放射能物質撮影装置。
【請求項３】
前記放射能情報収集部は、
前記増感層の背面に光を集光させる集光部をさらに含んで構成されることを特徴とする、請求項２に記載のスマート装置を利用した放射能物質撮影装置。
【請求項４】
前記増感層は、放射能に可視光反応をする増感紙から形成されることを特徴とする、請求項３に記載のスマート装置を利用した放射能物質撮影装置。
【請求項５】
2016532850.tif 000005
【請求項６】
前記マウントには、
前記光増幅管へ電源を供給するバッテリーを内蔵するバッテリーケースとスマート装置とを接続させてバッテリー制御コマンドを入出力させる接続端子が形成されることを特徴とする、請求項５に記載のスマート装置を利用した放射能物質撮影装置。
【請求項７】
前記マウントは、スマート装置ケースとして形成され、スマート装置への装着時に放射能物質撮影用カメラとなるようにすることを特徴とする、請求項６に記載のスマート装置を利用した放射能物質撮影装置。
【請求項８】
鏡筒に集光部と光増幅管と撮像素子が順次結合され、前記集光部の前段または後段には暗幕と増感層から形成されて可視光線を遮断させながら放射線に反応して可視光線を発生させる放射線情報収集部が結合され、放射線画像情報を出力させるカメラユニットと；
スマート装置と；
前記カメラユニットとスマート装置とを接続させる有線または無線のインターフェースと；
前記スマート装置に組み込まれ、前記インターフェースで伝達された画像情報を演算処理して放射能写真、画像または文字情報として出力させるアプリケーションと；を含んでなり、
被写体に含まれた放射能物質の情報を放射能写真、画像または文字として出力させることを特徴とする、スマート装置を利用した放射能物質撮影装置。
【請求項９】
前記スマート装置を利用した放射能物質撮影装置は、前記カメラユニットをスマート装置にカメラレンズと光軸とが一致するように結合させるマウント；をさらに含んでなることを特徴とする、請求項８に記載のスマート装置を利用した放射能物質撮影装置。
【請求項１０】
前記アプリケーションには、放射能光情報を撮影するカメラ露光速度調節コンテンツが含まれることを特徴とする、請求項１または８に記載のスマート装置を利用した放射能物質撮影装置。
【発明の詳細な説明】
【技術分野】
【０００１】
本発明は、スマート装置と；スマート装置に装着されるマウントと；前記マウントにおける前記スマート装置のレンズに設けられる鏡筒、可視光線遮断フィルターとして前記鏡筒の対物側最端部に設けられる暗幕、および前記鏡筒の前記暗幕の背面に形成され、放射線に反応して可視光線を発生させる増感層から構成される放射能情報収集部と；前記スマート装置に内蔵され、撮影された画像情報を増幅、演算処理して放射能写真、画像または文字情報として出力させるアプリケーションと；を含んでなり、スマート装置へ被写体に含まれた放射能物質を放射能写真、画像または文字として出力させることを特徴とする、スマート装置を利用した放射能物質撮影装置に関するものである。
【背景技術】
【０００２】
２０１１年３月１１日の大地震による福島原発事故は、日本だけでなく、北半球海洋生態系全体を脅かす深刻な問題として台頭している。
【０００３】
それにも拘わらず、一般人は、正確な放射能情報を取得することができなくて政府の発表だけに頼って生きていくため、根拠のない怪談が広がり、食べ物への恐怖により水産市場が撹乱されている。
【０００４】
これにより一般人の放射能測定への関心が大きく増加しているものの、一般人が簡単に使用できる放射能検出器は未だない。
【０００５】
放射能汚染を起こす放射線の中でも主要な関心対象であるガンマ線は、ＧＭ管、電離箱、Ｎａｌ（ＴＩ）シンチレーション検出器、ゲルマニウム半導体検出器、および蛍光線量計が広く用いられている。
【０００６】
このような原理を利用した放射能測定装備の中でも価格と装備の大きさを満たす携帯用装置としては、放射能汚染物質の外部空間線量を測定する閃光測定器と、表面汚染の測定に有用なガイガーカウンターが広く用いられているが、前記ガイガーカウンターは、ＧＭ管に入射したガンマ線の数を数える測定器である。
【０００７】
このような放射能汚染物質測定装備は、物理的な知識なしでは使用することが難しく、一般人が測定量に対する解釈を行い難く、正確な内容を理解することができないという問題点がある。
【０００８】
一方、放射能領域に含まれるＸ線の場合には、医療用に使われているＸ線画像装置が広く知られているが、前記Ｘ線画像装置は、大型装置に発展してきただけでなく、歯科用に小規模装置としても開発されている。
【０００９】
このような医療用Ｘ線画像装置に対する先願としては、韓国特許登録第１０−０８５９０４２号、韓国特許出願第１０−２００７−０１１０５４５号、韓国実用新案登録第２０−０３５８８２６号などの数多くの先行技術が存在する。
【００１０】
これらの先出願技術は、限られた室内で定格により与えられたＸ線を感知して画像情報を取得し、これを医療用に使用する装置であって、放射能汚染を検出する装置としては使用されておらず、特に携帯型装置として開発されたことがない。
【００１１】
一方、放射能に汚染した物質が放射する放射線はα線、β線、γ線だけでなく、Ｘ線領域にも広範囲に含まれるが、従来の放射能検出装置は主にγ線の検出に関心及び技術が集中している。
【００１２】
最近では、スマートフォンの汎用性に頼って前記放射能汚染物質測定装備をスマートフォンに導入した日本特開２０１２−２３３８９２号などの技術が開発されているが、この技術は、放射能汚染物質の線量測定計をスマートフォンに導入した技術であって、放射能汚染物質に対するＸ線撮影装置とは関係ない。
【先行技術文献】
【特許文献】
【００１３】
【特許文献１】韓国登録特許第１０−０８５９０４２号公報
【特許文献２】韓国特許第１０−２００７−０１１０５４５号公報
【特許文献３】韓国登録実用新案第０３５８８２６号公報
【特許文献４】特開２０１２−２３３８９２号公報
【発明の概要】
【発明が解決しようとする課題】
【００１４】
本発明は、前述した問題点を解決するためのもので、その目的は、一般人が広く所持しているスマート装置で放射能物質をまるでエックス線写真のように撮影して放射能情報を容易に認知することができるようにし、その情報量を解析して出力させ、共有して広く放射能情報クラウドを形成させることができる、スマート装置を利用した放射能物質撮影装置を提供することにある。
【課題を解決するための手段】
【００１５】
上記目的を達成するために、本発明は、鏡筒、可視光線遮断フィルターとして前記鏡筒の対物側最端部に設けられる暗幕、及び前記暗幕の背面に形成され、放射線に反応して可視光線を発生させる増感層から構成される放射能情報収集部と；スマート装置と；前記鏡筒の対眼側端部に設けられ、前記スマート装置のカメラレンズに前記鏡筒の光軸を一致させながら前記放射能情報収集部を結合させるマウントと；前記スマート装置に組み込まれ、放射能情報収集部で撮影された画像情報を演算処理して放射能写真、画像または文字情報として出力させるアプリケーションと；を含んでなり、スマート装置へ被写体に含まれた放射能物質を放射能写真、画像または文字として出力させることを特徴とする、スマート装置を利用した放射能物質撮影装置を技術的要旨とする。
【００１６】
ここで、前記放射能情報収集部は、前記増感層の背面に、前記増感層の光反応を増幅させる光増幅管が設けられ、反応可視光線を増幅させることを特徴とすることが好ましい。
また、前記放射能情報収集部は、前記増感層の背面に光を集光させる集光部をさらに含んで構成されることを特徴とすることが好ましい。
【００１７】
また、前記増感層は、放射能に可視光反応をする増感紙から形成されることを特徴とすることが好ましい。
【００１８】
2016532850.tif 000003
【００１９】
また、前記マウントには、前記光増幅管に電源を供給するバッテリーを内蔵するバッテリーケースとスマート装置とを接続させてバッテリー制御コマンドを入出力させる接続端子が形成されることを特徴とすることが好ましい。
【００２０】
また、前記マウントは、スマート装置ケースとして設けられ、スマート装置への装着時に放射能物質撮影用カメラとなるようにすることを特徴とすることが好ましい。
【００２１】
また、本発明は、鏡筒に集光部と光増幅管と撮像素子が順次結合され、前記集光部の前段または後段には暗幕と増感層から形成されて可視光線を遮断させながら放射線に反応して可視光線を発生させる放射線情報収集部が結合され、放射線画像情報を出力させるカメラユニットと；スマート装置と；前記カメラユニットとスマート装置とを接続させる有線または無線のインターフェースと；前記スマート装置に組み込まれ、前記インターフェースで伝達された画像情報を演算処理して放射能写真、画像または文字情報として出力させるアプリケーションと；を含んでなり、被写体に含まれた放射能物質を放射能写真、画像または文字として出力させることを特徴とする、スマート装置を利用した放射能物質撮影装置を技術的要旨とする。
【００２２】
また、前記スマート装置を利用した放射能物質撮影装置には、前記カメラユニットをスマート装置にカメラレンズと光軸とが一致するように結合させるマウント；をさらに含んでなることを特徴とすることが好ましい。
【００２３】
また、前記アプリケーションには、放射能光情報を最適撮影するカメラ露光速度調節コンテンツが含まれることを特徴とすることが好ましい。
【発明の効果】
【００２４】
前述した本発明によれば、一般人が広く所持しているスマート装置で放射能物質をまるでエックス線写真のように撮影して放射能情報を容易に認知することができるようにし、その情報量を解析して出力させ、共有して広く放射能情報クラウドを形成させることができる、スマート装置を利用した放射能物質撮影装置が提供されるという利点がある。
【図面の簡単な説明】
【００２５】
【図１】本発明のスマート装置に実施した例示斜視図である。
【図２】本発明をカメラに適用した例示斜視図である。
【図３】本発明を適用したスマート装置の背面斜視図である。
【図４】本発明が適用されたスマート装置ケースの内部構成図である。
【図５】本発明の放射能情報収集部の側断面図である。
【図６】本発明に係る光増幅管が含まれた放射能情報収集部の側断面図である。
【図７】光ファイバーレンズと光増幅管が含まれた放射能情報収集部の側断面図である。
【図８】光レンズと光増幅管が含まれた放射能情報収集部の側断面図である。
【図９】本発明を構成するネットワーク網の例示図である。
【図１０】プリズムが含まれた放射能情報収集部の側断面図である。
【図１１】本発明のカメラユニットの側断面図である。
【図１２】カメラユニットとスマート装置を組み合わせた斜視図である。
【発明を実施するための形態】
【００２６】
以下、図面を参照して本発明について説明する。本発明を説明するにあたり、関連する公知の技術または構成に関する具体的な説明が本発明の要旨を不必要に曖昧にするおそれがあると判断される場合には、その詳細な説明は省略する。
【００２７】
そして、後述する用語は本発明における機能を考慮して定義された用語であって、これはユーザー、運用者の意図または慣例などによって変わり得るので、その定義は本発明を説明する本明細書全般にわたっての内容に基づいて下されるべきである。
【００２８】
図１は本発明のスマート装置に実施した例示斜視図、図２は本発明をカメラに適用した例示斜視図、図３は本発明を適用したスマート装置の背面斜視図、図４は本発明が適用されたスマート装置ケースの内部構成図、図５は本発明の放射能情報収集部の側断面図、図６は本発明に係る光増幅管が含まれた放射能情報収集部の側断面図、図７は光ファイバーレンズと光増幅管が含まれた放射能情報収集部の側断面図、図８は光レンズと光増幅管が含まれた放射能情報収集部の側断面図、図９は本発明を構成するネットワーク網の例示図、図１０はプリズムが含まれた放射能情報収集部の側断面図、図１１は本発明のカメラユニットの側断面図、図１２はカメラユニットとスマート装置を組み合わせた斜視図である。
【００２９】
図示の如く、本発明は、被写体の放射能汚染度を画像情報として取得する装置であって、大きく、スマート装置１０、マウント２０、カメラレンズ１００、鏡筒３００、暗幕３１０、増感層３２０、集光部３３０、光増幅管３４０、放射能情報収集部３０およびアプリケーション（図示せず）から構成される。
【００３０】
本発明は、図示の如く、スマート装置１０で放射能に汚染した被写体を撮影する装置である。
【００３１】
前記スマート装置１０は、スマート型カメラやスマートフォン、スマートパッドなどのように外部ネットワークに自由に接続できる携帯型装置を意味するものであって、本発明はこれらに限定せず、カメラレンズに適用してカメラにも使用することができる。
【００３２】
本発明は、図１に示すように前記スマート装置１０のカメラレンズを利用する方式と、図１２に示すように直接画像情報を出力するカメラユニット３０−１で形成させる方式で形成できるが、まず、スマート装置１０のカメラレンズ１００を利用する方式について説明する。
【００３３】
前記スマート装置１０は、スマートフォンやスマートパッド、スマートカメラなどのようにカメラレンズが備えられて画像出力が提供される携帯用情報処理装置を意味する。
【００３４】
本発明は、前記スマート装置１０に、放射能物質が放射する放射線の情報を可視光線に変換させて画像情報を出力させる放射線情報収集部３０を結合させることにより、被写体の放射能汚染程度をスマート装置１０の画像出力で確認する装置である。
【００３５】
前記スマート装置１０のカメラレンズ１００を利用する方式では、前記スマート装置１０に、放射能情報収集部３０を装着させるマウント２０を形成させてスマート装置１０と光軸が一致するように結合させる。
【００３６】
カメラは、前記マウント２０を、図２に示すようにカメラレンズのフィルターマウントに装着させる構造で形成させる場合、既存のカメラにまるでフィルターのように装着することができる。
【００３７】
前記マウント２０の形式は、公知の図１２のフレーム形状などのように様々なマウントを使用してもよいが、図１に示すように、スマート装置と情報を接続させる接続端子２１０を有するスマート装置ケースとして形成させ、スマート装置を放射線撮影カメラのように形成させることが好ましい。
【００３８】
前記放射能情報収集部３０は、最も簡素には、図５に示すように、装置のケースとなる鏡筒３００、暗幕３１０および増感層３２０から形成させて、まるでカメラフィルターのように構成することができる。
【００３９】
前記鏡筒３００は、前述したようにマウント２０に結合してスマート装置１０のカメラレンズ１００に光軸が一致するように結合され、このためにまるでカメラフィルターのようなマウント締結部３５０を有することが好ましい。
【００４０】
前記暗幕３１０は、可視光線遮断フィルターであって、前記鏡筒３００の対物側最端部に設けられ、前記スマート装置１０のカメラレンズ１００に可視光線が入射することを遮断させる。
【００４１】
前記増感層３２０は、前記鏡筒３００における前記暗幕３１０の背面に形成され、前記暗幕３１０を通過した放射線に反応して可視光線を発生させる光反応部である。
【００４２】
一般に、前記増感層３２０は、主に増感紙の形でＸ線検出器のような医療用に使われているものであって、Ｘ線領域だけでなく、α、β、γ線領域においても光反応する物質である。
【００４３】
したがって、本発明のように放射能に汚染した被写体を対象とする場合、被写体から発散する全種類の放射線に反応して可視光線を出力する。
【００４４】
本発明では、前記暗幕３１０の背面に増感層３２０を直接コートして使用しても構わないが、増感紙を採用して交換を容易にすることが好ましい。
【００４５】
本発明では、前記増感紙として医療用Ｘ線増感紙をそのまま使用しても放射能に対する光反応が十分に起こるが、これはほとんどの放射能汚染がセシウムにより最も広範囲に発生するためである。
【００４６】
つまり、Ｘ線画像撮影装置の主な放射能光源はセシウムを利用したものであって、増減紙はセシウムに最もよく光反応が行われるように形成されているので、これを用いて、放射能に汚染した被写体を撮ることができるためである。
【００４７】
このような構成によれば、前記スマート装置１０で被写体を撮る場合、放射能汚染がない物体は、前記暗幕３１０によって可視光線がすべて遮断されるため暗く撮影される。この際、放射能に汚染した被写体を撮る場合、前記暗幕３１０を通過した放射線が前記増感層３２０で反応して発光するので、まるでエックス線写真のような画像情報が撮られる。
【００４８】
ところが、前記増感層３２０の光反応は、直接肉眼で認知するにはあまりにも弱く、被写体の放射能汚染程度によって前記撮影画像の感度が異なるので、被写体からさらに多くの放射線情報を取得するために、前記放射能情報収集部３０をより大口径に形成させ、或いは光反応画像を増幅させ、或いはカメラの露光速度を長く調節する必要がある。
【００４９】
このため、本発明は、前記光反応画像を増幅させるために、図６に示すように前記増感層３１０の背面に光増幅管３４０を設ける。
【００５０】
前記光増幅管３４０は、入射する光子を光陰極管で電子に転換し、転換された電子を電子微細増幅管でさらに増幅して蛍光画面から電子として放出させる装置であって、主にＸ線検出器や軍事用暗視鏡などに使われている。
【００５１】
前記集光部３３０は、本発明の放射能情報収集部３０の対物側を大口径に形成させ、より多くの被写体の放射線を収集するためのものであって、図８に示すような光学レンズや図７に示すような光ファイバーレンズに形成させることができる。
【００５２】
本発明は、図７及び図８において、前記光増幅管３４０を省略し、前記集光部３３０のみ含まれた放射能情報収集部３０で画像情報を取得し、スマート装置１０に含まれたアプリケーションで画像情報を増幅して出力することもできる。
【００５３】
しかし、放射能感知感度を増加させるためには、図７及び図８に示すように、前記集光部３３０に光を増幅して出力させる光増幅管３４０を形成させることが最も効率的である。
【００５４】
また、前記光増幅管３４０は、大きさによって単価が大きく増加して製作費上昇の原因となるが、前記集光部３３０で光を集光させると、小さな光増幅管３４０を使用することができるので、単価を大幅に節減させることができるという利点があり、小型レンズを使用するスマート装置用カメラレンズの口径でも感知感度を増加させることができるという利点がある。
【００５５】
一方、本発明は、スマート装置１０のカメラレンズ１００を利用せず、図１２に示すように、直接カメラ機能を行うカメラユニット３０−１で形成させることも好ましい。
【００５６】
前記カメラユニット３０−１は、図１１に示すように、鏡筒３００に集光部３３０、光増幅管３４０、及びＣＤＤなどの撮像素子３６０を順次結合させ、前記集光部３３０の前段または後段に暗幕３１０と増感層３２０で光反応部を形成させる。
【００５７】
すなわち、前記カメラユニット３０−１は、前記放射能情報収集部３０に画像撮影装置をさらに含ませて独立カメラとして形成させたものであって、放射線撮影画像を出力させるレンズカメラといえる。
【００５８】
したがって、前記集光部３３０はカメラの対物レンズと同様である。
【００５９】
前記カメラユニット３０−１において、前記光増幅管３４０の大きさをさらに小さくする必要がある場合は、前記光増幅管３４０と撮像素子３６０との間に、光を集光させる集光部をさらに含むことができる。
【００６０】
このように構成される前記カメラユニット３０−１では、可視光線を遮断させながら放射線のみに反応した放射能画像情報が撮られる。
【００６１】
本発明において、前記カメラユニット３０−１は、スマート装置とは独立した撮影画像を生産するので、前記カメラユニット３０−１とスマート装置１０とを接続させる有線または無線のインターフェースを形成させることにより、前記放射能画像情報をスマート装置１０へ伝達することができるようにする。
【００６２】
上述のように構成される前記スマート装置１０には、伝達された放射能画像情報を演算処理して放射能写真、画像または文字情報として出力させるアプリケーションをインストールさせる。
【００６３】
前記アプリケーションは、スマート装置１０に入力された放射能画像情報を解析してスマートフォンの画面に画像情報として出力させ、より認知し易くするために数値化された文字や画像情報を追加提供するソフトウェアで構成する。
【００６４】
本発明によれば、放射能に汚染した物質を撮影する場合、被写体の汚染部位画像がまるでエックス線写真のようにスマート装置に撮られる。
【００６５】
前述したように、本発明で使用されるスマート装置１０は、入力された情報を加工、演算して出力させるアプリケーションが含まれるが、サーバー５０からアプリケーション（図示せず）をダウンロードし、前記画像情報を解析して出力させるようにすることが好ましい。
【００６６】
すなわち、前記スマート装置１０では、前記アプリケーションに入力される被写体の画像または写真をそのまま出力し、或いは光量が足りない場合には増幅または加工して最適な画像状態に変換させ、ユーザーが直接肉眼で放射能汚染度を認知することができるようにし、写真の光量および光分布を解析して被写体の放射能汚染度を数値化及び文字化して出力する。
【００６７】
また、前記アプリケーションには放射能光情報を最適に撮影するカメラ露光速度調節コンテンツを含ませて、スマートフォンで放射能感知感度を増加させることができるようにする。
【００６８】
したがって、前記アプリケーションは、必要に応じてスマート装置を三脚台に固定し、長時間露光させて微細汚染した被写体を撮影することができるように案内する機能を提供することが好ましい。
【００６９】
このように構成される本発明によって、被写体に含まれた放射能物質に反応して放射能写真、画像をスマート装置で確認できるようにする、スマート装置を利用した放射能物質撮影装置が提供される。
【００７０】
一方、本発明による放射能画像は、可視光線が遮断されているので、被写体が局地的に汚染している場合、暗い画面で放射能に対する光反応が局地的に現れるとしても、被写体のどの部分が汚染したのか分かり難いことがある。
【００７１】
つまり、生体の場合は、汚染が全体的に拡散してまるでエックス線写真のように現れうるが、無生物の表面汚染などの場合は、局地的な光反応放射能画像が撮影され、実際の被写体のどの部分で光反応が起こるか分かり難いことがある。
【００７２】
これを解消するために、本発明は、可視光画像と放射線光反応画像とを合わせて前記スマート装置１０へ出力させ、被写体の画像から放射能情報を直接認知することができるようにする。
【００７３】
2016532850.tif 000004
【００７４】
つまり、本発明は、前記プリズム４０を用いて放射能画像情報と可視光線画像情報を平行光軸で二元撮影して可視光画像に放射能画像が合わせられてスマート装置１０へ出力されるようにする。
【００７５】
前記カメラユニット３０−１を利用する場合には、図１２に示すように、スマート装置１０のカメラレンズ１００とカメラユニット３０−１がそれぞれ独立して撮影することができるので、スマート装置１０に内蔵されたアプリケーションで同時撮影、及びそれぞれ撮影された画像の合成及び出力を行うことができる。
【００７６】
このために、前記カメラユニット３０−１の場合にも、図１２に示すように、スマート装置１０のカメラレンズ１００と光軸が一致するようにするマウント２０が必要である。
【００７７】
本発明では、また、図９に示すように、前記アプリケーション（図示せず）に取得された放射能物質情報をサーバー５００へ伝送して共有するようにするコンテンツを含ませ、放射能情報が情報クラウドを成すようにすることにより、サーバー５００に接続した利用者が情報を共有できるようにする。
【００７８】
たとえば、サーバー５００へ伝送された情報を地図上に表示して提供することができる。
【００７９】
前記地図には撮影位置と撮影された被写体写真、文字及び数値情報を表示されるようにして、放射能情報が共同で利用できるようにし、前記サーバーでは、伝送された情報を収集、加工して地図上に地域放射能汚染度情報として活用されるようにする。
【００８０】
一方、前記光増幅管３４０は、光増幅のための電源が必要なので、前記マウント２０には、図４に示すように、前記光増幅管３４０へ電源を供給する電池４００を内蔵するバッテリーケースを形成させる。
【００８１】
また、マウント２０の結合のみでスマート装置１０に装置の使用準備状態が知られるように、スマート装置１０に接続させる接続端子２１０を形成させることが好ましい。
【００８２】
図３はスマート装置ケースに前記接続端子２１０を形成させたものを示す。前記接続端子によって前記アプリケーションが自動的に駆動されて放射能画像情報を得るようにすることができる。
【００８３】
以上、本発明の説明のために示された図面は、本発明が具体化される一つの実施例である。図示の如く、本発明の要旨が実現されるために多様な形態の組み合わせが可能であることが分かる。
【００８４】
従って、本発明は、前述した実施例に限定されず、以下の特許請求の範囲で請求するように、本発明の要旨を逸脱することなく、当該発明の属する分野における通常の知識を有する者であれば誰でも多様な変更実施が可能な範囲まで、本発明の技術的精神があるというべきである。
【符号の説明】
【００８５】
１０    スマート装置
２０    マウント
３０    放射能情報収集部
３０−１    カメラユニット
４０    プリズム
５０    可視光線撮影通孔
１００    レンズ
３００    鏡筒
３１０    暗幕
３２０    増感層
３３０    集光部
３４０    光増幅管
３６０    撮像素子
４００    バッテリー
５００    サーバー
【図１】
2016532850.tif 000006
【図２】
2016532850.tif 000007
【図３】
2016532850.tif 000008
【図４】
2016532850.tif 000009
【図５】
2016532850.tif 000010
【図６】
2016532850.tif 000011
【図７】
2016532850.tif 000012
【図８】
2016532850.tif 000013
【図１０】
2016532850.tif 000014
【図１１】
2016532850.tif 000015
【図１２】
2016532850.tif 000016
【図９】
2016532850.tif 000017
【国際調査報告】
2016532850.tif 000018
2016532850.tif 000019
2016532850.tif 000020
2016532850.tif 000021